(57)【特許請求の範囲】
【請求項１】
載置部上に縦置きに載置された機器の側面部を一対の挟持部により厚み方向に挟み込んで支持する縦置き型スタンドにおいて、
前記一対の挟持部の一方と、前記載置部を構成する固定底板とが一体的に設けられた固定側部材と、
前記一対の挟持部の他方と、前記固定底板の下面側に移動可能に配設されて前記固定底板と共に前記載置部を構成する可動底板とが一体的に設けられた移動側部材とを備え、
前記固定側部材の固定底板には、その下面側に所定の方向に沿ってレールが設けられていると共に、前記レールに沿って所定の間隔を存して複数の貫通孔が設けられており、
前記移動側部材の可動底板には、前記固定側部材の固定底板に設けられたレールと相対係合するガイド溝が設けられていると共に、その上面側に前記固定底板に設けられた複数の貫通孔の何れかに選択的に嵌合する嵌合突起が突設されていることを特徴とする縦置き型スタンド。
【請求項２】
前記移動側部材の可動底板に略Ｕ字状の切欠溝が設けられ、この切欠溝に囲まれた領域に前記嵌合突起が突設されていることを特徴とする請求項１に記載の縦置き型スタンド。
【請求項３】
前記可動底板の切欠溝に囲まれた領域の下面側には、前記嵌合突起の真下に位置して、前記切欠溝に囲まれた領域の弾性変位を規制する規制突起が突設されていることを特徴とする請求項２に記載の縦置き型スタンド。
【請求項４】
前記可動底板の上面側には、前記ガイド溝に沿って、先端部が前記固定底板に当接する突条が設けられていることを特徴とする請求項１乃至３の何れかに記載の縦置き型スタンド。
【請求項５】
前記固定底板の上面の高さ位置と、前記可動底板の上面の高さ位置とが、これら固定底板及び可動底板により構成される載置部上に載置される機器の脚部の高さの違いを吸収するように設定されていることを特徴とする請求項1乃至４の何れかに記載の縦置き型スタンド。
【請求項６】
前記一対の挟持部の一方と前記固定底板とが樹脂によって一体成形されていることを特徴とする請求項１乃至５の何れかに記載の縦置き型スタンド。
【請求項７】
前記一対の挟持部の他方と前記可動底板とが樹脂によって一体成形されていることを特徴とする請求項１乃至５の何れかに記載の縦置き型スタンド。
【請求項８】
前記一対の挟持部の少なくとも一方は、弾性部材で形成されていることを特徴とする請求項１乃至７の何れかに記載の縦置き型スタンド。
【発明の詳細な説明】
【０００１】
【発明の属する技術分野】
本発明は、機器を縦置きにした状態で支持する縦置き型スタンドに関し、特に厚みの異なる機器に対応可能な縦置き型スタンドに関するものである。
【０００２】
【従来の技術】
例えばパーソナルコンピュータやゲーム機等の情報処理機器は、設置スペースの省スペース化や美観等を考慮して、縦置き状に設置される場合がある。このような場合には、情報処理機器を安定的に設置するために、縦置き型スタンドが用いられることが多い。
【０００３】
縦置き型スタンドとしては、情報処理機器が載置される載置部と、この載置部に対して略垂直に立設された一対の挟持部とを有し、載置部上に載置された情報処理機器の側面部を厚み方向に挟み込んで支持するようにしたものが一般的である。
【０００４】
【発明が解決しようとする課題】
ところで、この種の縦置き型スタンドは、特定の情報処理機器に専用のものとして構成されている場合が多く、一対の挟持部間の距離が固定とされているものが殆どである。
【０００５】
このように一対の挟持部間の距離が固定とされた縦置き型スタンドでは、例えば、情報処理機器の機能を拡張するために外部装置が後から付け加えられて全体の厚みが変化したときには、これらを一体にして縦置き状に支持することができないという問題がある。
【０００６】
後から付け加えられる外部装置が情報処理機器に不可欠のものであれば、一対の挟持部間の距離を情報処理装置の厚みに外部装置の厚みを加えた距離に設定した新たな専用の縦置き型スタンドを提供すればよいが、ユーザが外部装置を選択的に付け加える場合、すなわち、情報処理機器に外部装置が付加される場合と付加されない場合の双方が想定されるときには、１つの縦置き型スタンドでこれら双方に対応することができない。
【０００７】
一対の挟持部間の距離が可変とされた縦置き型スタンドとしては、例えば、特開平５−２６６６４３号公報にて開示されるように、別部材で構成された一対の挟持部を互いに近接離間する方向にスライドさせて両者の間の距離を設定した後に、これらをビス等の締結部材を用いて固定するようにしたものが提案されている。このような縦置き型スタンドでは、一対の挟持部間の距離を変更することで、単体の情報処理機器を支持する場合にも、情報処理機器に外部装置が付加されたものを一体に支持する場合にも対応可能である。
【０００８】
しかしながら、この縦置き型スタンドでは、一対の挟持部間の距離を変更する際に、これら挟持部を慎重にスライドさせて両者の間の距離を正確に設定し、その後、両者をビス等の締結部材によって固定しなければならず、作業が非常に煩雑であるという問題がある。
【０００９】
更に、この縦置き型スタンドは、一対の挟持部間の距離を固定するのにビス等の締結部材を用いるので、部品点数が多く、コストの面からも不利である。
【００１０】
本発明は、以上のような従来の実情に鑑みて創案されたものであって、機器の側面部を挟持する一対の挟持部間の距離の変更を適切且つ簡便に行え、厚みの異なる機器に対応可能な縦置き型スタンドを提供することを目的としている。
【００１１】
【課題を解決するための手段】
上記課題を解決するため、本発明は、載置部上に縦置きに載置された機器の側面部を一対の挟持部により厚み方向に挟み込んで支持する縦置き型スタンドにおいて、固定側部材と、移動側部材とを備えている。固定側部材には、一対の挟持部の一方と、載置部を構成する固定底板とが一体的に設けられている。移動側部材には、一対の挟持部の他方と、固定底板の下面側に移動可能に配設されて固定底板と共に載置部を構成する可動底板とが一体的に設けられている。固定側部材の固定底板には、その下面側に所定の方向に沿ってレールが設けられていると共に、レールに沿って所定の間隔を存して複数の貫通孔が設けられている。移動側部材の可動底板には、固定側部材の固定底板に設けられたレールと相対係合するガイド溝が設けられていると共に、その上面側に固定底板に設けられた複数の貫通孔の何れかに選択的に嵌合する嵌合突起が突設されている。
【００１２】
この縦置き型スタンドでは、固定側部材の固定底板に設けられたレールと移動側部材の可動底板に設けられたガイド溝とを相対係合させることで、固定底板の下面側に可動底板が移動可能に配設され、固定側部材と移動側部材とが相互に連結される。そして、可動底板を移動させてその上面側に突設された嵌合突起を固定底板に設けられた複数の貫通孔の何れかに嵌合させることで、可動底板の固定底板に対する位置決めが図られ、固定側部材の挟持部と移動側部材の挟持部との間の距離が決定される。また、可動底板を更に移動させてその上面側に突設された嵌合突起を固定底板に設けられた他の貫通孔に嵌合させることで、可動底板が異なる位置に位置決めされ、固定側部材の挟持部と移動側部材の挟持部との間の距離が変更されることになる。
【００１３】
したがって、固定側部材の挟持部と移動側部材の挟持部との間の距離を、貫通孔が設けられた位置に応じて複数段に正確に切り替えることができると共に、この切り替え作業を極めて簡便に行うことができる。
【００１４】
また、上記縦置き型スタンドにおいて、移動側部材の可動底板に略Ｕ字状の切欠溝を設け、この切欠溝に囲まれた領域に前記嵌合突起を突設しても良い。
【００１５】
この縦置き型スタンドでは、貫通孔に嵌合した嵌合突起を下方に押し込むことで、略Ｕ字状の切欠溝に囲まれた領域が弾性変位して、貫通孔に対する嵌合突起の嵌合状態が解除されることになる。
【００１６】
したがって、貫通孔に対する嵌合突起の嵌合状態の解除を極めて簡単に行うことができ、固定部材の挟持部と移動部材の挟持部との間の距離の切り替えを更に簡便に行うことができる。
【００１７】
また、上記縦置き型スタンドにおいて、可動底板の切欠溝に囲まれた領域の下面側に、嵌合突起の真下に位置して切欠溝に囲まれた領域の弾性変位を規制する規制突起を突設しても良い。
【００１８】
この縦置き型スタンドでは、例えば、可動底板が機器の設置スペース上に置かれている状態、すなわち、載置部上に機器が設置される状態においては、貫通孔に嵌合した嵌合突起を下方に押し込んでも、嵌合突起の真下に位置して設けられた規制突起が干渉して、可動底板の切欠溝に囲まれた領域の弾性変位が規制され、貫通孔に対する嵌合突起の嵌合状態が維持されることになる。
【００１９】
したがって、載置部上に機器が設置された状態で誤って嵌合突起の嵌合状態が解除され、固定部材の挟持部と移動部材の挟持部との間の距離が変動して、機器の安定支持が損なわれる不都合を未然に回避することができる。
【００２０】
また、上記縦置き型スタンドにおいて、可動底板の上面側に、その先端部が固定底板に当接する突条をガイド溝に沿って設けても良い。
【００２１】
この縦置き型スタンドでは、可動底板は、ガイド溝に沿って設けられた突条の先端部にて、固定底板に接触することになる。
【００２２】
したがって、固定底板の下面側に可動底板を移動させる際の摺動抵抗が小さくなり、固定部材の挟持部と移動部材の挟持部との間の距離の切り替えを更に簡便に行うことが可能となる。また、固定底板に対して可動底板が摺動することにより生じる擦痕が、外部から視認しにくい固定底板の下面に形成されることになるので、美観を損ねることもない。
【００２３】
また、上記縦置き型スタンドにおいて、固定底板の上面の高さ位置と、可動底板の上面の高さ位置とを、これら固定底板及び可動底板により構成される載置部上に載置される機器の脚部の高さの違いを吸収するように設定しても良い。
【００２４】
この縦置き型スタンドでは、載置部上に機器が載置されたときに、この載置部を構成する固定底板と可動底板とにより機器の脚部の高さの違いが吸収されることになる。
【００２５】
したがって、機器を縦置き状に設置したときの美観を更に向上させることができる。
【００２６】
【発明の実施の形態】
以下、本発明の実施の形態を図面を参照して詳細に説明する。なお、ここではゲームプログラム等の様々なプログラムを実行するエンタテインメント機器を縦置き状に支持するための縦置き型スタンドに本発明を適用した例について具体的に説明するが、本発明はここで挙げる例に限定されるものではなく、あらゆる機器を対象にした縦置き型スタンドに広く適用可能である。
【００２７】
まず、本発明を適用した縦置き型スタンドによって支持されるエンタテインメント機器について説明する。
【００２８】
このエンタテインメント機器の本体部分１００は、図１に示すように、第１の筐体１０１とこの第１の筐体１０１よりも若干高さが低い第２の筐体１０２とが一体化された形状とされている。第１の筐体１０１の前面部には、電源スイッチ１０１ａ、ディスクトレースイッチ１０１ｂ、ディスクトレー１０１ｃ、メモリカードスロット１０１ｄ，１０１ｅ、コントローラスロット１０１ｆ，１０１ｇがそれぞれ設けられている。
【００２９】
ディスクトレー１０１ｃはゲームプログラム等が格納されたディスク媒体が装着されるものであり、ディスクトレースイッチ１０１ｂが押下されることでスライド操作され、ディスク媒体のローディング／アンローディングが行われるようになっている。
【００３０】
コントローラスロット１０１ｆ，１０１ｇには、それぞれゲーム操作用のコントローラが接続されるようになっている。また、メモリカードスロット１０１ｄ，１０１ｅには、ゲームデータ等を記録するためのメモリカードが装着されるようになっている。
【００３１】
このエンタテインメント機器は、様々な機能が潜在的に内蔵されており、使用環境が整備されることに応じて、ゲームプログラム以外にも様々なプログラムを実行できるようになっている。このような様々なプログラムを実行する場合には、取り扱うデータのデータ量が膨大なものとなり、本体部分１００に内蔵された記憶手段のみで対応することが困難になるのことが考えられるので、このエンタテインメント機器には、図２に示すように、本体部分１００に外付けされるハードディスクドライブ等の外部記憶装置１１０が必要に応じて提供されるようになっている。
【００３２】
次に、以上のようなエンタテインメント機器を縦置き状に支持する本発明を適用した縦置き型スタンドについて説明する。この縦置き型スタンドは、上述したエンタテインメント機器をその本体部分１００のみ（以下、便宜上、この状態を第１の状態という。）支持する場合と、本体部分１００に外部記憶装置１１０を外付けした状態（以下、便宜上、この状態を第２の状態という。）でこれらを一体に支持する場合との双方に対応可能とされている。
【００３３】
この本発明を適用した縦置き型スタンドスタンド１は、図３に示すように、固定側部材１０と、この固定側部材１０に対して移動可能に取り付けられた移動側部材２０とが連結された構造となっている。
【００３４】
固定側部材１０は、合成樹脂材料が所定の形状に成形されてなるものであり、図４乃至図８に示すように、第１の状態或いは第２の状態のエンタテインメント機器の側面部を厚み方向に挟持するための第１の挟持部１１と、第１の状態或いは第２の状態のエンタテインメント機器が載置される載置部となる固定底板１２とが一体成形されてなる。なお、図４は固定側部材１０を上面側から見た様子を示す平面図、図５は固定側部材１０を下面側から見た様子を示す平面図、図６は固定側部材１０の側面図、図７は図４におけるVII−VII線断面図、図８は図７の符号２０１で囲まれた部分を拡大して示す断面図である。
【００３５】
第１の挟持部１１は、断面が直角三角形をなす三角柱を横に倒した形状とされ、１つの側面部が固定底板１２に対して略垂直な挟持面１１ａとされている。そして、この挟持面１１ａには、ゴム等の弾性部材よりなるストッパ１３ａ，１３ｂがその先端部を内方に突出させた状態で取り付けられている。このストッパ１３ａ，１３ｂは、その先端部を弾性変位させながら第１の状態或いは第２の状態のエンタテインメント機器の側面部に当接し、エンタテインメント機器を適切な圧力で安定的に保持するようになっている。
【００３６】
固定底板１２は、エンタテインメント機器の本体部１００の底面部に対応した平面形状を有する板状に成形されてなるものであり、その上面１２ａ側の四隅には、エンタテインメント機器の本体部１００に設けられた脚部が収容され、この本体部１００の当該固定底板１２に対する位置決めを図るための凹部１４ａ，１４ｂ，１４ｃ，１４ｄが、上面１２ａから若干窪んだ形状に形成されている。
【００３７】
また、固定底板１２の下面１２ｂ側には、エンタテインメント機器の厚みに対応した方向に沿って、一対のレール１５ａ，１５ｂが互いに平行に設けられている。これら一対のレール１５ａ，１５ｂは、固定底板１２の下面１２ｂに対して略垂直な軸部１６と、この軸部１６よりも幅広に形成されてこの軸部１６の先端に一体に形成された係止部１７とを有する略Ｔ字状に形成され、固定底板１２の下方に向かって突設されている。
【００３８】
また、固定底板１２には、一対のレール１５ａ，１５ｂ間の略中心部に位置して、第１の貫通孔１８ａと第２の貫通孔１８ｂとが固定底板１２の厚み方向に貫通するように穿設されている。これら第１の貫通孔１８ａと第２の貫通孔１８ｂは、所定の間隔、具体的にはエンタテインメント機器の外部記憶装置１１０の厚みに相当する間隔を存して、一対のレール１５ａ，１５ｂが延びる方向に沿って並ぶように設けられている。
【００３９】
移動側部材２０は、固定側部材１０と同様に、合成樹脂材料が所定の形状に成形されてなるものであり、図９乃至図１３に示すように、固定側部材１０の第１の挟持部１１と協働して、第１の状態或いは第２の状態のエンタテインメント機器の側面部を厚み方向に挟持するための第２の挟持部２１と、固定側部材１０の固定底板１２の下面１２ｂ側に移動可能に配設されて、この固定底板１２と共に、第１の状態或いは第２の状態のエンタテインメント機器が載置される載置部を構成する可動底板２２とが一体成形されてなる。なお、図９は移動側部材２０を上面側から見た様子を示す平面図、図１０は移動側部材２０を下面側から見た様子を示す平面図、図１１は移動側部材２０の側面図、図１２は図９におけるXII−XII線断面図、図１３は図１２の符号２０２で囲まれた部分を拡大して示す断面図である。
【００４０】
第２の挟持部２１は、第１の挟持部１１と同様に、断面が直角三角形をなす三角柱を横に倒した形状とされ、１つの側面部が可動底板２２に対して略垂直な挟持面２１ａとされている。そして、この挟持面２１ａには、第１の挟持部１１と同様に、ゴム等の弾性部材よりなるストッパ２３ａ，２３ｂがその先端部を内方に突出させた状態で取り付けられている。
【００４１】
可動底板２２は、エンタテインメント機器の外部記憶装置１１０の底面部に対応した平面形状を有する板状に成形されてなるものである。この可動底板２２には、エンタテインメント機器の厚み方向に対応した方向に沿って、固定底板１２に設けられた一対のレール１５ａ，１５ｂに相対係合される一対のガイド溝２４ａ，２４ｂが、互いに平行に切り欠き形成されている。これら一対のガイド溝２４ａ，２４ｂは、レール１５ａ，１５ｂの軸部１６が挿通されるスリット２５と、このスリット２５の下方にスリット２５よりも幅広に形成されて、レール１５ａ，１５ｂの係止部１７が収容される凹部２６とを有する形状とされている。そして、これら一対のガイド溝２４ａ，２４ｂの一端側の開放された部分から、一対のレール１５ａ，１５ｂをスライドさせながら挿入することで、一対のレール１５ａ，１５ｂと一対のガイド溝２４ａ，２４ｂとが互いに相対係合されるようになっている。
【００４２】
また、可動底板２２には、一対のガイド溝２４ａ，２４ｂ間の略中心部に位置して、略Ｕ字状の切欠溝２７が設けられており、この切欠溝２７に囲まれた領域が弾性変位できるようになっている。そして、この切欠溝２７に囲まれた領域に、固定底板１２に穿設された第１の貫通孔１８ａ又は第２の貫通孔１８ｂに嵌合される嵌合突起２８が、可動底板２２の上面２２ａ側から上方に向かって突設されている。この嵌合突起２８は、固定底板１２に穿設された第１の貫通孔１８ａや第２の貫通孔１８ｂに対応して、例えば楕円状に成形され、その上面に「ＰＵＳＨ」という文字が刻印されている。そして、この嵌合突起２８が第１の貫通孔１８ａ又は第２の貫通孔１８ｂに嵌合された状態でこの嵌合突起２８を押下すると、切欠溝２７に囲まれた領域が下方に弾性変位して、第１の貫通孔１８ａ又は第２の貫通孔１８ｂに対する嵌合突起２８の嵌合状態が解除されるようになっている。
【００４３】
可動底板２２の下面２２ｂ側の切欠溝２７に囲まれた領域には、嵌合突起２８の真下に位置して、この切欠溝２７に囲まれた領域の不要な弾性変位を規制するための規制突起２９が下方に向かって突設されている。この規制突起２９は、縦置き型スタンド１がエンタテインメント機器の設置スペース上に置かれている状態、すなわち、載置部上にエンタテインメント機器が設置される状態において、その先端部がエンタテインメント機器の設置スペースに当接するようになっている。したがって、このような状態で第１の貫通孔１８ａ又は第２の貫通孔１８ｂに嵌合した嵌合突起２８を下方に押し込んでも、規制突起２９がエンタテインメント機器の設置スペースに干渉して、可動底板２２の切欠溝２７に囲まれた領域の弾性変位が規制され、第１の貫通孔１８ａ又は第２の貫通孔１８ｂに対する嵌合突起２８の嵌合状態が維持されることになる。
【００４４】
また、可動底板２２の上面２２ａ側には、一対のガイド溝２４ａ，２４ｂに沿って、複数の突条３０ａ，３０ｂ，３０ｃ，３０ｄ，３０ｅ，３０ｆが互いに平行に突設されている。これら複数の突条３０ａ，３０ｂ，３０ｃ，３０ｄ，３０ｅ，３０ｆは、可動底板２２が固定底板１２の下面１２ｂ側に配設されたときに、その先端部が固定底板１２の下面１２ｂに当接するようになっている。すなわち、可動底板２２は、これら複数の突条３０ａ，３０ｂ，３０ｃ，３０ｄ，３０ｅ，３０ｆの先端部を固定底板１２の下面１２ｂに摺動させながら、固定底板１２に対して相対移動するようになっている。したがって、可動底板２２が移動する際の摺動抵抗は極めて小さく、僅かな力を加えるだけで可動底板２２を適切に移動させることができる。また、可動底板２２の移動に伴って固定底板１２に擦痕が生じることになるが、複数の突条３０ａ，３０ｂ，３０ｃ，３０ｄ，３０ｅ，３０ｆの先端部は固定底板１２の下面１２ｂを摺動するので、この擦痕は外部から視認しにくい固定底板１２の下面１２ｂに形成されることになる。したがって、擦痕に起因する美観の低下が未然に防止されることになる。
【００４５】
以上のような構造とされた固定側部材１０と移動側部材２０とは、図１４に示すように、固定側部材１０のレール１５ａ，１５ｂの軸部１６を移動側部材２０のガイド溝２４ａ，２４ｂのスリット２５に挿通させた状態で、レール１５ａ，１５ｂの係止部１７をガイド溝２４ａ，２４ｂの凹部２６内に収容させて、レール１５ａ，１５ｂとガイド溝２４ａ，２４ｂとを相対係合させることで互いに連結され、一体の縦置き型スタンド１とされる。
【００４６】
そして、この縦置き型スタンド１により第１の状態のエンタテインメント機器、すなわちエンタテインメント機器の本体部１００のみを支持する場合には、移動側部材２０の可動底板２２に設けられた嵌合突起２８を固定側部材１０の固定底板１２に設けられた第１の貫通孔１８ａに嵌合させる。これにより、図１５乃至図１７に示すように、可動底板２２の固定底板１２に対する位置が第１の位置に位置決めされ、その状態が維持されることになる。この第１の位置は、可動底板２２のほぼ全面が固定底板１２の下面１２ａ側に隠れ、固定底板１２によって縦置き型スタンド１の載置部のほとんどが構成される位置である。なお、図１５は可動底板２２が第１の位置に位置決めされた状態の縦置き型スタンド１を上側から見た様子を示す平面図、図１６は可動底板２２が第１の位置に位置決めされた状態の縦置き型スタンド１を下側から見た様子を示す平面図、図１７は可動底板２２が第１の位置に位置決めされた状態の縦置き型スタンド１の側面図である。
【００４７】
このとき、固定側部材１０の第１の挟持部１１と移動側部材２０の第２の挟持部２１との間の距離Ｐ１は、図１に示した第１の状態のエンタテインメント機器の厚みＷ１とほぼ等しくなっている。したがって、以上のように、可動底板２２の嵌合突起２８を固定底板１２の第１の貫通孔１８ａに嵌合させて、可動底板２２を第１の位置に位置決めした状態で、図１８に示すように、第１の状態のエンタテインメント機器を縦置き型スタンド１の載置部上に載置して、固定側部材１０の第１の挟持部１１と移動側部材２０の第２の挟持部２１とで第１の状態のエンタテインメント機器の側面部を厚み方向に挟持させることにより、第１の状態のエンタテインメント機器が安定的に支持されることになる。
【００４８】
また、この縦置き型スタンド１により第２の状態のエンタテインメント機器、すなわち、本体部分１００に外部記憶装置１１０を外付けした状態のエンタテインメント機器を支持する場合には、まず、第１の貫通孔１８ａに嵌合された嵌合突起２８を下方に押下して、可動底板２２の切欠溝２７に囲まれた領域を弾性変位させ、嵌合突起２８の第１の貫通孔１８ａに対する嵌合状態を解除させる。そして、可動底板２２をレール１５ａ，１５ｂに沿って移動させ、嵌合突起２８を固定底板１２に設けられた第２の貫通孔１８ｂに嵌合させる。これにより、図１９乃至図２１に示すように、可動底板２２の固定底板１２に対する位置が第２の位置に位置決めされ、その状態が維持されることになる。この第２の位置は、可動底板２２の一部が露出して、縦置き型スタンド１の載置部が固定底板１２と可動底板２２とにより構成される位置である。なお、図１９は可動底板２２が第２の位置に位置決めされた状態の縦置き型スタンド１を上側から見た様子を示す平面図、図２０は可動底板２２が第２の位置に位置決めされた状態の縦置き型スタンド１を下側から見た様子を示す平面図、図２１は可動底板２２が第２の位置に位置決めされた状態の縦置き型スタンド１の側面図である。
【００４９】
このとき、固定側部材１０の第１の挟持部１１と移動側部材２０の第２の挟持部２１との間の距離Ｐ２は、図２に示した第２の状態のエンタテインメント機器の厚みＷ２とほぼ等しくなっている。したがって、以上のように、可動底板２２の嵌合突起２８を固定底板１２の第２の貫通孔１８ｂに嵌合させて、可動底板２２を第２の位置に位置決めした状態で、図２２に示すように、第２の状態のエンタテインメント機器を縦置き型スタンド１の載置部上に載置して、固定側部材１０の第１の挟持部１１と移動側部材２０の第２の挟持部２１とで第２の状態のエンタテインメント機器の側面部を厚み方向に挟持させることにより、第２の状態のエンタテインメント機器が安定的に支持されることになる。
【００５０】
ところで、縦置き型スタンド１においては、上述したように、可動底板２２を固定底板１２の下面１２ａ側に移動可能に配設するようにしているので、図２３に示すように、可動底板２２が第２の位置に位置決めされた状態で、固定底板１２の上面１２ａの高さ位置Ｈ１と可動底板２２の上面２２ａの高さ位置Ｈ２とが若干異なり、固定底板１２の上面１２ａが可動底板２２の上面２２ａよりも若干高くなっている。一方、エンタテインメント機器の本体部１００とこの本体部１００に外付けされる外部記憶装置１１０とでは、それぞれの脚部１００ａ，１１０ａの高さが異なっている。
【００５１】
そこで、縦置き型スタンド１においては、固定底板１２の上面１２ａの高さ位置Ｈ１と、可動底板２２の上面２２ａの高さ位置Ｈ２とが、エンタテインメント機器の本体部１００の脚部１００ａと、外部記憶装置１１０の脚部１１０ａとの高さの違いを吸収するように設定されている。これにより、本体部１００に外部記憶装置１１０が外付けされた第２の状態でエンタテインメント機器が縦置き型スタンド１の載置部上に載置されたときに、本体部１００の下面と外部記憶装置１１０の下面とが略同一平面上に位置することになり、エンタテインメント機器が縦置き型スタンド１に支持された状態での美観が向上する。
【００５２】
以上説明したように、本発明を適用した縦置き型スタンド１においては、可動底板２２に設けられた嵌合突起２８を固定底板１２に設けられた第１の貫通孔２８ａと第２の貫通孔２８ｂとに選択的に嵌合させることにより、固定側部材１０の第１の挟持部１１と移動側部材２０の第２の挟持部２１との間の距離を２段階（Ｐ１又はＰ２）に正確に切り替えることができる。したがって、この縦置き型スタンド１においては、エンタテインメント機器を、本体部１００のみの第１の状態と、本体部１００に外部記憶装置１１０が外付けされた第２の状態との双方において適切に支持することができる。
【００５３】
また、この縦置き型スタンド１では、嵌合突起２８を下方に押下して第１の貫通孔１８ａ或いは第２の貫通孔１８ｂに対する嵌合突起２８の嵌合状態を解除して、可動底板２２をレール１５ａ，１５ｂに沿って移動させることで、第１の挟持部１１と第２の挟持部２１との間の距離の切り替えを行うことができるので、この切り替え作業を極めて簡便に行うことができる。
【００５４】
なお、以上は、第１の挟持部１１と第２の挟持部２１との間の距離をＰ１とＰ２との二段階で切り替えるようにした縦置き型スタンド１を例に挙げて具体的に説明したが、本発明は以上の例に限定されるものではなく、更に多段階での切り替えを行うように構成してもよい。この場合は、上述した縦置き型スタンド１と基本構成を同様にしながら、固定底板１２に穿設する貫通孔の数を増やすようにすればよい。このように、第１の挟持部１１と第２の挟持部２１との間の距離を更に多段階で切り替えられるようにすれば、例えば、エンタテインメント機器の本体部１００に複数の外部記憶装置１１０が外付けされる場合にも適切に対応することが可能となる。
【００５５】
【発明の効果】
本発明に係る縦置き型スタンドによれば、固定側部材の挟持部と移動側部材の挟持部との間の距離を、貫通孔が設けられた位置に応じて複数段に正確に切り替えて、厚みの異なる機器をそれぞれ適切に支持することができると共に、この切り替え作業を極めて簡便に行うことができる。
【図面の簡単な説明】
【図１】本発明を適用した縦置き型スタンドにより支持されるエンタテインメント機器の本体部を示す斜視図である。
【図２】前記エンタテインメント機器の本体部に外部記憶装置を外付けした状態を示す斜視図である。
【図３】本発明を適用した縦置き型スタンドの斜視図である。
【図４】前記縦置き型スタンドを構成する固定側部材を上面側から見た様子を示す平面図である。
【図５】前記固定側部材を下面側から見た様子を示す平面図である。
【図６】前記固定側部材の側面図である。
【図７】図４におけるVII−VII線断面図である。
【図８】図７の符号２０１で囲まれた部分を拡大して示す断面図である。
【図９】前記縦置き型スタンドを構成する移動側部材を上面側から見た様子を示す平面図である。
【図１０】前記移動側部材を下面側から見た様子を示す平面図である。
【図１１】前記移動側部材の側面図である。
【図１２】図９におけるXII−XII線断面図である。
【図１３】図１２の符号２０２で囲まれた部分を拡大して示す断面図である。
【図１４】前記固定側部材のレールを前記移動側部材のガイド溝に相対係合させた状態を示す断面図である。
【図１５】前記可動側部材の可動底板が第１の位置に位置決めされた状態の縦置き型スタンドを上側から見た様子を示す平面図である。
【図１６】前記可動底板が第１の位置に位置決めされた状態の縦置き型スタンドを下側から見た様子を示す平面図である。
【図１７】前記可動底板が第１の位置に位置決めされた状態の縦置き型スタンドの側面図である。
【図１８】前記可動底板が第１の位置に位置決めされた状態の縦置き型スタンドによりエンタテインメント機器の本体部が支持された状態を示す斜視図である。
【図１９】前記可動底板が第２の位置に位置決めされた状態の縦置き型スタンドを上側から見た様子を示す平面図である。
【図２０】前記可動底板が第２の位置に位置決めされた状態の縦置き型スタンドを下側から見た様子を示す平面図である。
【図２１】前記可動底板が第２の位置に位置決めされた状態の縦置き型スタンドの側面図である。
【図２２】前記可動底板が第２の位置に位置決めされた状態の縦置き型スタンドによりエンタテインメント機器の本体部及び外部記憶装置が支持された状態を示す斜視図である。
【図２３】前記固定底板の上面の高さ位置と前記可動底板の上面の高さ位置との関係を説明するための模式図である。
【符号の説明】
１  縦置き型スタンド、  １０  固定側部材、  １１  第１の挟持部、  １２固定底板、  １５ａ，１５ｂ  レール、  １８ａ  第１の貫通孔、  １８ｂ  第２の貫通孔、  ２０  移動側部材、  ２１  第２の挟持部、  ２２  可動底板、  ２４ａ，２４ｂ  ガイド溝、  ２７  切欠溝、  ２８  嵌合突起、  ２９  規制突起、  ３０ａ，３０ｂ，３０ｃ，３０ｄ，３０ｅ，３０ｆ  突条
【図１】
0003725041.tif 000002
【図２】
0003725041.tif 000003
【図３】
0003725041.tif 000004
【図４】
0003725041.tif 000005
【図５】
0003725041.tif 000006
【図６】
0003725041.tif 000007
【図７】
0003725041.tif 000008
【図８】
0003725041.tif 000009
【図９】
0003725041.tif 000010
【図１０】
0003725041.tif 000011
【図１１】
0003725041.tif 000012
【図１２】
0003725041.tif 000013
【図１３】
0003725041.tif 000014
【図１４】
0003725041.tif 000015
【図１５】
0003725041.tif 000016
【図１６】
0003725041.tif 000017
【図１７】
0003725041.tif 000018
【図１８】
0003725041.tif 000019
【図１９】
0003725041.tif 000020
【図２０】
0003725041.tif 000021
【図２１】
0003725041.tif 000022
【図２２】
0003725041.tif 000023
【図２３】
0003725041.tif 000024